(57)【要約】【課題】  信頼性が高く、低コスト化、コンパクト化およびフレキシブル化を図ることが可能な画像表示媒体、およびコンパクト化を図ることが可能な画像書込装置を提供する。【解決手段】  画像書込装置２０から電子ペーパ１０の受電用電極１２に電圧を供給するとともに、画像書込装置２０のＬＥＤ２９ａから電子ペーパ１０の受光素子１３ａに光信号を照射すると、受光素子１３ａがスイッチング動作して複数の画素からなる表示部１１の行および列の電極に電圧が印加され、表示が行われる。【選択図】        図１
2005352461.tif 000002
【特許請求の範囲】
【請求項１】
複数の画素からなるメモリ性を有する表示部と、
外部から電圧が供給される入力端子と、
外部からの光、熱、磁界又は圧力による駆動信号を受け、前記入力端子に供給された前記電圧を、前記駆動信号に基づいて前記複数の画素に選択的に印加する選択部とを備えたことを特徴とする画像表示媒体。
【請求項２】
前記選択部は、前記駆動信号として受けた光、熱、磁界又は圧力によって動作することにより、前記電圧を前記複数の画素に印加させる複数の機能素子を備えたことを特徴とする請求項１に記載の画像表示媒体。
【請求項３】
前記機能素子は、前記駆動信号として受けた駆動信号光によって動作する光導電素子，フォトダイオード，フォトトランジスタ等の複数の光電変換素子であることを特徴とする請求項２に記載の画像表示媒体。
【請求項４】
前記選択部は、前記駆動信号に基づいて抵抗値が変化する光導電素子，サーミスタ等の複数の可変抵抗素子を備えたことを特徴とする請求項１に記載の画像表示媒体。
【請求項５】
前記表示部は、複数の行電極と、前記複数の行電極との間に前記複数の画素を配置した複数の列電極とを備え、
前記選択部は、単純マトリックス駆動によって前記複数の行電極および前記複数の列電極間に選択的に前記電圧を印加することを特徴とする請求項１に記載の画像表示媒体。
【請求項６】
前記表示部は、全面電極と、前記全面電極との間に前記複数の画素を配置した複数の画素とを備え、
前記選択部は、アクティブマトリックス駆動によって前記全面電極および前記複数の画素間に選択的に前記電圧を印加することを特徴とする請求項１に記載の画像表示媒体。
【請求項７】
前記画素は、メモリ性を有する液晶からなることを特徴とする請求項１に記載の画像表示媒体。
【請求項８】
前記画素は、所定の帯電特性を有し、前記電圧によって形成された電界に応じて空間を移動する粒子を備えたことを特徴とする請求項１に記載の画像表示媒体。
【請求項９】
前記複数の能動素子は、前記表示部とは重ならない位置にマトリックス状に配列されたことを特徴とする請求項１に記載の画像表示媒体。
【請求項１０】
前記複数の能動素子は、前記表示部と重なる位置にマトリックス状に配列されたことを特徴とする請求項１に記載の画像表示媒体。
【請求項１１】
前記複数の光電変換素子は、複数の光導電素子であり、
前記複数の光導電素子は、前記表示部の前記複数の画素に至る配線抵抗に応じて特性が異なることを特徴とする請求項３に記載の画像表示媒体。
【請求項１２】
前記複数の光導電素子は、前記配線抵抗が大きいほど受光する光量が多くなるように受光面積が個々にあるいは段階的に異なることを特徴とする請求項１１に記載の画像表示媒体。
【請求項１３】
前記複数の光導電素子は、前記配線抵抗が大きいほど受光する光量が多くなるように受光面を遮光する遮光面積が個々にあるいは段階的に異なるマスクを備えたことを特徴とする請求項１１に記載の画像表示媒体。
【請求項１４】
前記複数の光導電素子は、前記配線抵抗が大きいほど受光する光量が多くなるように光透過率が個々にあるいは段階的に異なるフィルタを備えたことを特徴とする請求項１１に記載の画像表示媒体。
【請求項１５】
前記選択部は、前記入力端子に供給された前記電圧を外部からの前記駆動信号光に基づいて前記複数の画素に選択的に印加する前記複数の光導電素子と、前記入力端子に供給された前記電圧を前記入力端子から供給された制御信号に基づいて前記複数の画素に選択的に印加する駆動ＩＣとを備えたことを特徴とする請求項１１に記載の画像表示媒体。
【請求項１６】
前記選択部は、前記入力端子に供給された前記電圧を外部からの前記駆動信号光に基づいて前記複数の画素に選択的に印加する前記複数の光導電素子と、前記入力端子に供給された前記電圧を外部からの前記駆動信号に基づいて前記複数の画素に選択的に印加する駆動ＩＣとを備えたことを特徴とする請求項１１に記載の画像表示媒体。
【請求項１７】
前記複数の光導電素子は、前記表示部の裏面側の対向する位置に配置されたことを特徴とする請求項１１に記載の画像表示媒体。
【請求項１８】
前記複数の光導電素子は、前記表示部の裏面側の対向しない位置に配置されたことを特徴とする請求項１１に記載の画像表示媒体。
【請求項１９】
前記複数の光導電素子は、複数の層に配線パターンが形成された多層基板を用いて接続されたことを特徴とする請求項１１に記載の画像表示媒体。
【請求項２０】
前記複数の光導電素子は、前記複数の層に分散して配置されたことを特徴とする請求項１９に記載の画像表示媒体。
【請求項２１】
前記複数の光導電素子は、前記複数の層に渡って共通して配置され、スイッチング素子を介して前記配線パターンが選択されることを特徴とする請求項１９に記載の画像表示媒体。
【請求項２２】
前記複数の光導電素子は、感度波長が異なるものを用い、前記複数の光導電素子が前記複数の層に分散して設けられたことを特徴とする請求項１９に記載の画像表示媒体。
【請求項２３】
外部に電圧を供給する出力端子と、
外部に光、熱、磁界又は圧力による駆動信号を出力する複数の駆動信号発生素子と、
画像信号に基づいて前記複数の駆動信号発生素子を制御する制御部とを備えたことを特徴とする画像書込装置。
【請求項２４】
前記複数の駆動信号発生素子は、前記駆動信号として光、熱、磁界又は圧力を出力することを特徴とする請求項２３に記載の画像書込装置。
【請求項２５】
前記駆動信号発生素子は、前記駆動信号として駆動信号光を出力するフォトダイオード、レーザダイオード等の発光素子であることを特徴とする請求項２３に記載の画像書込装置。
【請求項２６】
前記複数の駆動信号発生素子は、液晶ディスプレイ、ＥＬディスプレイ等のディスプレイであり、
前記制御部は、前記駆動信号として前記ディスプレイを構成する１つ又は複数の画素を点灯させて前記駆動信号として駆動信号光を出力させることを特徴とする請求項２３に記載の画像書込装置。
【請求項２７】
外部に電圧を供給する出力端子と、
外部に外部からの光、熱、磁界又は圧力による駆動信号を出力する複数の駆動信号発生素子と、
無線により外部から画像信号を受信する無線部と、
前記画像信号を記憶する記憶部と、
前記記憶部に記憶された前記記画像信号に基づいて前記複数の駆動信号発生素子を制御する制御部とを備えたことを特徴とする画像書込装置。
【請求項２８】
前記制御部は、前記駆動信号光を受光する受光面積に応じて点灯する前記発光素子数を制御することを特徴とする請求項２５又は２６に記載の画像書込装置。
【請求項２９】
前記制御部は、前記駆動信号光を受光する受光素子の配線抵抗に応じて前記駆動信号光の強度を制御することを特徴とする請求項２５又は２６に記載の画像書込装置。
【請求項３０】
前記駆動信号発生部は、前記駆動信号光を受光する受光素子の配線抵抗に応じて前記駆動信号光が異なるように光透過率が個別にあるいは段階的に異なるフィルタを備えたことを特徴とする請求項２５又は２６に記載の画像書込装置。
【請求項３１】
前記複数の駆動信号発生部は、所定の方向に移動可能に支持された筐体に設けられ、
前記制御部は、前記筐体を前記所定の方向に移動させつつ、前記駆動信号を出力させることを特徴とする請求項２３に記載の画像書込装置。
【請求項３２】
前記駆動信号発生部は、波長の異なる複数の光を発光する構成を有することを特徴とする請求項２５又は２６に記載の画像書込装置。
【発明の詳細な説明】
【技術分野】
【０００１】
本発明は、メモリ性を有する画像表示媒体およびその画像書込装置に関し、特に、信頼性が高く、低コスト化、コンパクト化およびフレキシブル化を図ることが可能な画像表示媒体、およびコンパクト化を図ることが可能な画像書込装置に関する。
【背景技術】
【０００２】
近年、画像表示媒体として、紙媒体や電子ディスプレイデバイスの他に、電子ディスプレイの長所と紙の長所を併せ持った電子ぺーパあるいはデジタルペーパと称せられる画像表示媒体が注目されている。
【０００３】
この画像表示媒体は、表示に関してメモリ性を有することから、情報の書換え時のみ駆動装置あるいは外部の情報書込装置により、書込みのためのエネルギーを与えるだけで良く、表示を維持するためのエネルギーの印加は不要である。従って、情報の書込み後に画像書込装置から画像表示媒体のみを取り出して、紙媒体のように手軽に持ち運んだり、重ねたり、並べたり、手に持って情報を読むことができる。
【０００４】
上記のようなメモリ性を有する画像表示媒体として、電圧の印加と光の照射によって画像が可視的かつ消去自在にメモリされる光書込型画像表示媒体、および、この画像表示媒体に画像を書き込む画像書込装置が知られている（例えば、特許文献１参照）。
【０００５】
この特許文献１に記載された画像表示媒体は、一対の透明電極間に、液晶層と、光の照射によって抵抗値が変化する光導電層とが積層されたものである。また、その画像表示媒体に画像を書き込む装置は、格納部から搬送されてきた画像表示媒体を液晶光出力デバイスの表面に密着させ、この状態のままバックライトにより背面から照明されている液晶光出力デバイスに画像を表示すると共にその画像光を画像表示媒体の光導電層に照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【０００６】
一般に、画像表示媒体の製造元は、その駆動回路等を製作する製造元とは異なるため、画像表示媒体の搭載基板上には駆動回路を構成するＬＳＩ等は搭載されず、電源および表示駆動用の電気信号は、フレキシブル基板を用いて行われ、その接続処理には端子や半田付けが用いられる。
【０００７】
しかし、フレキシブル基板による接続は、端子間や電極間の短絡、電食、断線等が発生し易いほか、振動に対する信頼性も低い。そこで、電気信号をＬＥＤ等により光信号に変換すると共に、従来の電極位置に受光素子を設置してＬＥＤ等からの光信号を受光し、光電変換して電気信号を得ることにより、フレキシブル基板による接続を不要にした光結合素子が提案されている（例えば、特許文献２参照。）。
【特許文献１】特開２００１−３０１２３３号公報（［００４４］〜［００４７］、図４）
【特許文献２】特開平８−２０１７８２号公報（［００１６］、［００１７］、図１、図２）
【発明の開示】
【発明が解決しようとする課題】
【０００８】
しかし、従来の画像表示媒体によると、特許文献１に記載のような画像表示媒体の低コスト化、コンパクト化、およびフレキシブル化を図ろうとすると、画像表示媒体に駆動用ＩＣを搭載せず、画像書込装置側に搭載することになる。この場合、画像表示媒体側と駆動用ＩＣの接続は、ピンを電極に圧接して接続するか、特許文献２のような構成により行うことになる。しかし、ピンを用いた場合、多数のピンの全てを電極に接触させることは難しい。また、特許文献２の構成では、表示パネル側の受光素子が電極端子上にライン状に配置されているため、書込み側デバイスのサイズが大きくなり、コンパクト化を図ることができない。また、表示パネル側で光電変換するには、バッテリーが必要となり、コスト高となる。
【０００９】
したがって、本発明の目的は、信頼性が高く、低コスト化、コンパクト化およびフレキシブル化を図ることが可能な画像表示媒体を提供することにある。
【００１０】
また、本発明の他の目的は、コンパクト化を図ることが可能な画像書込装置を提供することにある。
【課題を解決するための手段】
【００１１】
第１の発明は、上記の目的を達成するため、複数の画素からなるメモリ性を有する表示部と、外部から電圧が供給される入力端子と、外部からの光、熱、磁界又は圧力による駆動信号を受け、前記入力端子に供給された前記電圧を、前記駆動信号に基づいて前記複数の画素に選択的に印加する選択部とを備えたことを特徴とする画像表示媒体を提供する。
【００１２】
上記選択部は、上記駆動信号として受けた光、熱、磁界又は圧力によって動作することにより、上記電圧を印加させる複数の機能素子を用いて構成することができる。外部からの駆動信号を接点を用いずに受けることにより、接点不良を減らすことができ、信頼性の向上を図ることができる。
【００１３】
第２の発明は、上記の目的を達成するため、外部に電圧を供給する出力端子と、外部に光、熱、磁界又は圧力による駆動信号を出力する複数の駆動信号発生素子と、画像信号に基づいて前記複数の駆動信号発生素子を制御する制御部とを備えたことを特徴とする画像書込装置を提供する。
【００１４】
上記駆動信号発生素子としては、光、熱、磁界又は圧力を用いて画像表示媒体の能動素子を動作させるものを用いることができる。駆動信号を電気接点を用いずに画像表示媒体に送信することにより、接点不良を減らすことができ、信頼性の向上を図ることができる。
【発明の効果】
【００１５】
第１の発明の画像表示媒体によれば、電圧が供給される端子数を最小限にし、画像書込装置等の外部からの外部からの光、熱、磁界又は圧力による駆動信号を電気接点を用いずに受けることにより、接点不良を減らすことができるため、信頼性の向上を図ることができる。また、バッテリーが不要になり、駆動用のＩＣを搭載する必要も無いため、低コスト化、コンパクト化およびフレキシブル化が可能になる。
【００１６】
第２の発明の画像書込装置によれば、画像表示媒体に電圧を供給する端子数を最小限にできるため、コンパクト化が可能になる。
【発明を実施するための最良の形態】
【００１７】
［第１の実施の形態］
（全体構成）
図１は、本発明の第１の実施の形態に係る電子ペーパおよび画像書込装置を示す。同図中、（ａ）は全体構成を示し、（ｂ）は（ａ）のＡ−Ａ線断面を示す。また、図２は、画像書込装置を開いた状態を示す。
【００１８】
画像表示媒体としての電子ペーパ１０は、薄型矩形状を有し、フレキシブルに構成されており、メモリ性を有する表示部１１を備える。更に、図１の（ｂ）に示すように、電子ペーパ１０の表面には、一対の入力端子としての受電用電極１２と、信号入力数に対応した数（ここでは、１６個）の機能素子としての受光素子１３ａを有して光電変換を行う受光素子アレイ１３が設けられている。
【００１９】
この電子ペーパ１０に画像の書込みを行う画像書込装置２０は、電子ペーパ１０の所定位置に着脱自在に装着できるように構成され、電子ペーパ１０に電源供給を行うと共に、駆動信号を光により電子ペーパ１０に伝達できるように構成されている。
【００２０】
また、画像書込装置２０は、上部本体２１Ａと、下部本体２１Ｂと、これらを開閉可能に結合するヒンジ２１Ｃとを備える。上部本体２１Ａには、タイトル等を表示する液晶表示器２２と、電源のオン／オフを行う電源ボタン２３と、上方向のスクロールのためのＵＰキー２４と、下方向のスクロールを行うためのＤＯＷＮキー２５と、電子ペーパ１０への書込みを開始させるプリントキー２６と、確認等の指示を入力するためのＥＮＴＥＲキー３０とが設けられている。
【００２１】
さらに、画像書込装置２０は、図１の（ｂ）および図２に示すように、上部本体２１Ａの内面には、膨出面または凸部を有して受電用電極１２に接触可能な一対の出力端子としての給電用端子２８と、受光素子アレイ１３の受光素子１３ａと同数（１６個）の駆動信号発生素子としてのＬＥＤ（発光ダイオード）２９ａからなるＬＥＤアレイ２９とが、電子ペーパ１０の受電用電極１２および発光素子アレイ１３に対向する位置に設けられている。なお、図２においては、図１に示した液晶表示器２２、電源ボタン２３、ＵＰキー２４、ＤＯＷＮキー２５、プリントキー２６のそれぞれの図示を省略している。
【００２２】
図３は、電子ペーパ１０の全体構成を示す。電子ペーパ１０の表面には、表示部１１に隣接させて受光素子アレイ１３が設けられている。この受光素子アレイ１３に隣接させて一対の受電用電極１２が設置されている。受光素子１３ａには、光導電体が用いられるが、フォトダイオード、フォトトランジスタ等の光電変換素子でもよい。受光素子１３ａは、ここでは１６個が２列に配列されている。受光素子１３ａのそれぞれは、一方が受電用電極１２に接続され、他方は電子ペーパ１０に内蔵されている列電極および行電極に接続されている。
【００２３】
図４は、図３の電子ペーパ１０のＢ−Ｂ線断面を示す。同図中、（ａ）は表示部の層構成を示し、（ｂ）は他の層構成を示す。
【００２４】
（第１の表示部の層構成）
図４の（ａ）に示す表示部１１Ａは、フレキシブルに構成され、ＰＥＴ（ポリエチレンテレフタレート）フィルムからなり、所定の間隔に配設された透明な一対の基板４１Ａ，４１Ｂと、ＩＴＯ（インジウム錫酸化物）を用いて基板４１Ａの内側に配設された行電極４２と、ＩＴＯを用いて基板４１Ｂの内側に配設された列電極４３と、メモリ性を有する液晶、例えば、コレステリック液晶からなり、行電極４２の内側に配設された液晶層４４と、液晶層４４と列電極４３の間に配設された光吸収層４５とを備えている。行電極４２と列電極４３のそれぞれは、複数本からなり、マトリックス状に配設されている。
【００２５】
（第２の表示部の層構成）
また、図４の（ｂ）に示す表示部１１Ｂは、図４の（ａ）の表示部１１Ａにおいて、液晶層４４に代えて空間部４６を設け、この空間部４６内に白色粒子４８Ａと黒色粒子４８Ｂを封入し、さらに、列電極４３の保護および白色粒子４８Ａと黒色粒子４８Ｂの帯電特性を安定化させるために、ポリカーボネート、ポリエステル、ポリイミド、エポキシ等からなる誘電体層４７Ａ，４７Ｂを行電極４２および列電極４３の内側に設けた構成としている。なお、１つあるいは複数の画素毎に空間部４６を基板に平行な方向に仕切る仕切り部材を設けてもよい。
【００２６】
白色粒子４８Ａは、例えば、体積平均粒径２０μｍの酸化チタン含有架橋ポリメチルメタクリレートの球状微粒子の１００重量部にイソプロピルトリメトキシシラン処理したチタニアの微粉末０．４重量部を外添して得ることができる。また、黒色粒子４８Ｂは、例えば、体積平均粒径２０μｍのカーボン含有架橋ポリメチルメタクリレートの球状微粒子を用いることができる。
【００２７】
（表示部への書込み動作）
図４の（ａ）に示す表示部１１Ａに書込みを行う場合、画像データに対応する画素部分を交差している行電極４２と列電極４３に所定の電圧が印加される。液晶層４４の電圧印加部分は、一定以上の閾値を越えた電圧が印加されることになり、光反射率の大きい状態を保持する。従って、表示部１１Ａを視線Ｅから見た場合、電圧が印加された領域は、照明光５１を受けて液晶層４４で反射し、表示光５２として白く見える。逆に、液晶層４４の電圧が印加されていない領域は、光を透過する状態を保持する。この液晶層４４を通過した光は、光吸収層４５で吸収されるため、視線Ｅから画像表示媒体４０Ａを見た場合、その部分は黒く見える。以上のようにして、白黒による２色の画像表示が行われる。
【００２８】
また、図４の（ｂ）に示す表示部１１Ｂに書込みを行う場合、図４の（ａ）に示す表示部１１Ａと同様に、画像データに対応する画素部分で交差している行電極４２と列電極４３に所定の電圧が印加される。この電圧の印加は、例えば、行電極４２に０Ｖの電圧を印加し、列電極４３には、画像データに応じて、例えば、＋１４０Ｖまたは−１４０Ｖ程度の正または負の画像電圧を所定の時間（例えば、３０ｍｓ）印加する。
【００２９】
白色粒子４８Ａと黒色粒子４８Ｂは、相互の摩擦による摩擦帯電により互いに異なる極性に帯電している。例えば、白色粒子４８Ａが負に帯電すれば、黒色粒子４８Ｂは正に帯電する。図４の（ｂ）に示すように、負に帯電した白色粒子４８Ａは、正電圧が印加された列電極４３側に移動して列電極４３の内面に付着し、正に帯電した黒色粒子４８Ｂは、行電極４２の内面に付着する。この様にして行電極４２の内面に付着した白色粒子４８Ａと黒色粒子４８Ｂとによって構成された白黒画像が、基板４１Ａを通して表示される。
【００３０】
行電極４２と列電極４３への電圧の印加を停止しても、白色粒子４８Ａと黒色粒子４８Ｂと誘電体層４７Ａ，４７Ｂとの間の静電付着力が維持されるため、粒子４８Ａ，４８Ｂは誘電体層４７Ａ，４７Ｂの内面に付着したまま保持され、長時間に渡り白黒画像が表示される。
【００３１】
（画像書込装置の制御部の構成）
図５は、画像書込装置２０の制御部の構成を示す。この制御部６０は、画像書込装置２０の全体を制御するＣＰＵ６１と、ＣＰＵ６１を動作させるためのプログラムが格納されたＲＯＭ６２と、処理結果等が一時的に格納されるＲＡＭ６３と、画像データが格納された画像データ記憶部６４と、送受信回路を備えて外部との通信を無線で行うと共に外部から画像データを取得する無線部６５と、この無線部６５に接続されたアンテナ６６と、ＣＰＵ６１の制御下で前記画像データに基づいてＬＥＤアレイ２９を駆動する駆動部６７と、給電用端子２８に所定の電圧を供給する電圧発生部６８と、各回路の電源となるバッテリー６９とを備えている。更に、ＣＰＵ６１には、電源ボタン２３、キー２４，２５，２６，３０、液晶表示器２２が接続されており、これらのいずれかをユーザが操作したとき、ＣＰＵ６１は、オン動作を認識する。
【００３２】
（電子ペーパの内部配線構成）
図６は、電子ペーパ１０の内部配線を示す。電子ペーパ１０には、例えば、図４の（ａ）に示した表示部１１Ａが内蔵されているが、ここでは行電極４２と列電極４３のみを図示している。行電極４２および列電極４３のそれぞれは、複数本（４２Ａ〜４２Ｈ、４３Ａ〜４３Ｈ）からなり、マトリックス状に配置されている。行電極４２および列電極４３と、受光素子１３ａのそれぞれの出力側とは、配線パターン１４で接続されている。更に、受光素子アレイ１３の受光素子１３ａのそれぞれの入力側は、配線パターン１５によって受電用端子１２に接続されている。
【００３３】
（画像書込装置の動作）
図１〜図６を参照し、第１の実施の形態の表示動作を説明する。電子ペーパ１０に既に画像が書き込まれている場合、電子ペーパ１０の表示部１１Ａは、メモリ性を有しているため、電源が無くとも外光があれば、記録されている画像を見ることができる。
【００３４】
電子ペーパ１０に新たに書込みを行う場合、上部本体２１Ａが上側になるようにして、画像書込装置２０を適当な角度に開き、その状態のまま、電子ペーパ１０に横方向から挿入した後、電子ペーパ１０を上下から挟むようにして画像書込装置２０を電子ペーパ１０に密着させる。このとき、電子ペーパ１０の受電用電極１２および受光素子アレイ１３に対して、給電用端子２８およびＬＥＤアレイ２９が重なるようにして上部本体２１Ａを位置決めする。これにより、給電用端子２８が受電用電極１２に接触し、受光素子アレイ１３とＬＥＤアレイ２９は対向するように配置される。
【００３５】
電源ボタン２３を押下すると、ＣＰＵ６１によって、メニューが液晶表示器２２に表示される。このメニューには、画像データ記憶部６４に記憶されている画像データのタイトル、ユーザが設定できる項目、電池残量等の項目が表示される。画像データ記憶部６４に記憶されている画像データを表示する場合、ユーザは、ＵＰキー２４またはＤＯＷＮキー２５を操作し、メニュー内の所望の項目を表示して指定を行った後、ＥＮＴＥＲキー３０を押下する。
【００３６】
この操作により、ＣＰＵ６１は、電圧発生部６８を駆動して給電用端子２８に所定の電圧を印加させるとともに、画像データ記憶部６４から該当する画像データを読み出し、駆動部６７を介してＬＥＤアレイ２９を画像データに応じて駆動し、ＬＥＤ２９ａに光信号を発光させる。この光信号は、電子ペーパ１０の受光素子アレイ１３に入光する。受光素子アレイ１３のそれぞれの受光素子１３ａは、或るレベル以上の光が入射するとスイッチング動作、すなわち、抵抗が小さくなり、両端が導通状態になって受電用電極１２に印加された電圧を表示部１１Ａの電極４２，４３に供給する。これにより、表示部１１Ａには画像データに応じた表示が行われる。
【００３７】
画像書込装置２０のＬＥＤアレイ２９の図６中斜線を施して示す例えばＬＥＤ２９Ａ，２９Ｂが発光するように制御された場合、その光は電子ペーパ１０の受光素子アレイ１３の図６中斜線を施して示す受光素子１３Ａ，１３Ｂに入光する。受光素子１３Ａ，１３Ｂは、入射した光によってスイッチング動作し、オン状態になる。受光素子１３Ａ，１３Ｂ以外の他の受光素子１３ａは、入射光が無いのでオフ状態のままである。受光素子１３Ａ，１３Ｂがオンになると、受電用電極１２に印加された電圧が配線パターン１５，１４を介して行電極４２Ａと列電極４３Ａに印加され、この行電極４２Ａと列電極４３Ａが交差して形成される画素部分（図６中斜線を施した領域）に対応する液晶層４４の一部に電圧が印加され、部分的に反射部が形成されることにより、その部分が白く見える表示が行われ、他の部分が黒く見えるように表示される。以上のようにしてＬＥＤ２９ａを順次点灯して単純マトリックス駆動により、行電極４２と列電極４３に順次電圧を印加することにより、表示部１１Ａの全体に画像が表示される。
【００３８】
（第１の実施の形態の効果）
この第１の実施の形態によれば、以下の効果が得られる。
（イ）電圧が供給される端子数を最小限にし、画像書込装置２０からの駆動信号を接点を用いず、ＬＥＤアレイ２９と受光素子アレイ１３により無線で行われるため、接点不良を減らすことができるため、信頼性の向上を図ることができる。
（ロ）ＬＥＤアレイ２９および受光素子アレイ１３の各素子数、配線パターン１４の本数は、画素単位ではなく、行と列の電極の数で済むため、信号の伝送数を最小限にでき、電子ペーパ１０および画像書込装置２０の低コスト化、コンパクト化およびフレキシブル化を図ることが可能になる。
（ハ）電子ペーパ１０の表示部１１は、メモリ性を有し、電源は外部から供給されるため、バッテリーが不要になる。また、駆動用のＩＣを搭載する必要も無いため、電子ペーパ１０の低コスト化、コンパクト化およびフレキシブル化が可能になる。なお、駆動用ＩＣは、後述するように一部使用しても、低コスト化、コンパクト化およびフレキシブル化は可能である。
（ニ）ＬＥＤアレイ２９および受光素子アレイ１３は、半導体素子を作る方法で基板上に形成できるため、量産が可能であり、したがって、電子ペーパ１０および画像書込装置２０の低コスト化、コンパクト化および信頼性の向上が可能になる。
（ホ）表示部１１Ａと受光素子アレイ１３とは、重ならないように配置されているため、薄型化およびフレキシブル化を図ることができる。
【００３９】
［第２の実施の形態］
図７は、本発明の第２の実施の形態に係る画像表示媒体および画像書込装置を示す。本実施の形態の画像書込装置２０は、第１の実施の形態のＬＥＤアレイ２９に代えて、液晶ディスプレイを用いて構成されたマトリックス表示部３１を上部本体２１Ａに設け、更に、電子ペーパ１０は、第１の実施の形態の受光素子アレイ１３に代えて、複数の受光素子１６ａをマトリックス状に配置したマトリックス受光部１６を設けた構成であり、他の構成は第１の実施の形態と同様である。
【００４０】
マトリックス受光部１６は、例えば、フォトダイオード（ＰＤ）等による１６個の受光素子１６ａがマトリックス状に配置されており、マトリックス表示部３１の表示領域に等しいか、または小さいサイズを有する。
【００４１】
なお、マトリックス表示部３１は、ＥＬ（エレクトロルミネッセンス）ディスプレイ、ＬＥＤディスプレイ、プラズマディスプレ等の他のディスプレイを用いて構成してもよい。
【００４２】
マトリックス表示部３１は、多数の画素３１ａをマトリックス状に配置して構成されており、マトリックス受光部１６の１つの受光素子１６ａに対して複数の画素３１ａが対向配置される。また、マトリックス表示部３１には、例えば、携帯電話やＰＨＳ(Personal Handyphone System)などの移動端末機に用いられている液晶表示器を採用することができる。
【００４３】
（第２の実施の形態の動作）
図８は、図７の電子ペーパおよび画像書込装置の動作を示す。画像書込装置２０が、マトリックス表示部３１をマトリックス受光部１６に重なる様にして電子ペーパ１０に位置決めされることにより画像の書込みが可能になる。画像書込装置２０のマトリックス表示部３１は、複数（例えば４つ）の画素３１ａからなる１６個の表示区分を選択的に表示して行う。
【００４４】
画像書込装置２０のマトリックス表示部３１の例えば図８中斜線を施して示した２ヶ所の表示区分３１Ａ，３１Ｂが高輝度に表示され、その他の部分が非表示または黒表示にされたとする。電子ペーパ１０のマトリックス受光部１６では、マトリックス表示部３１の表示区分３１Ａ，３１Ｂに対向する斜線を施して示す受光素子１６Ａ，１６Ｂに表示区分３１Ａ，３１Ｂからの光が入光してオン状態になり、受光素子１６Ａ，１６Ｂ以外の他の受光素子１６ａは、入射光が無いのでオフ状態のままである。受光素子１６Ａ，１６Ｂがオンになると、画像書込装置２０から受電用電極１２に印加された電圧が配線パターン１５，１４を介して行電極４２Ｅと列電極４３Ｂに印加され、この行電極４２Ｅと列電極４３Ｂが交差して形成される画素部分（斜線を施した領域）に対応する液晶層４４の一部に電圧が印加され、部分的に反射部が形成されることにより、その部分が白く見える表示が行われ、他の部分が黒く見えるように表示される。以上のようにしてマトリックス表示部３１の表示区分をスキャンして順次発光させ、単純マトリックス駆動により、行電極４２と列電極４３に順次電圧を印加することにより、表示部１１Ａの全体に画像が表示される。
【００４５】
（第２の実施の形態の効果）
この第２の実施の形態によれば、第１の実施の形態と同様の効果が得られるほか、量産化され、汎用性の高い移動端末機の液晶表示器をマトリックス表示部３１に転用できるため、画像書込装置２０のコストダウンが可能になる。
【００４６】
また、電圧発生部６８を独立に構成し、マトリックス表示部３１に代えて携帯電話等の移動端末機の液晶表示器を用いることにより、独立した画像書込装置２０を不要にすることができる。これにより、更なるコストダウンが可能になる。
【００４７】
［第３の実施の形態］
図９は、本発明の第３の実施の形態に係る電子ペーパおよび画像書込装置を示す。また、図１０は、第３の実施の形態に係る電子ペーパを示す。図９において、（ａ）は図１のＡ−Ａ線に対応する断面図であり、（ｂ）は（ａ）の画像書込装置を開いた状態を示す斜視図である。
【００４８】
本実施の形態は、電子ペーパ１０が、表面のほとんどの全域が表示部１１となるように構成され、図１０に示すように、受電用電極１２と受光素子アレイ１３を裏面に配置している。
【００４９】
画像書込装置２０は、図９の（ｂ）に示すように、給電用端子２８とＬＥＤアレイ２９を上部本体２１Ａの内面から下部本体２１Ｂの内面に設ける構成に変更している。その他の構成は第１の実施の形態と同様である。第３の実施の形態の動作は、第１の実施の形態と同じであるので、その説明は省略する。
【００５０】
（第３の実施の形態の効果）
この第３の実施の形態によれば、第１の実施の形態と同様の効果が得られるほか、電子ペーパ１０の表面のほぼ全域に表示部１１が形成されているため、表示領域が拡大され、表示量を多くすることが可能になる。
【００５１】
［第４の実施の形態］
図１１は、本発明の第４の実施の形態に係る電子ペーパの接続図、および画像書込装置の平面図である。この第４の実施の形態に係る電子ペーパ１０は、第２の実施の形態において、受電用電極１２から行電極４２Ａ〜４２Ｈあるいは列電極４３Ａ〜４３Ｈに至る配線パターン１４，１５の長さ、すなわち、配線抵抗に応じて受光面積が異なる複数種の光導電体等からなる正方形の受光素子１６０ａ，１６０ｂ，１６０ｃによりマトリックス受光部１６を構成したものであり、他は第２の実施の形態と同様に構成されている。
【００５２】
すなわち、行電極４２Ａ，４２Ｃ，４２Ｅ，４２Ｇに接続され、配線パターン１４，１５の長さが比較的長いグループに属する受光素子１６０ｂには、受光面積の大きいものを用い、行電極４２Ｂ，４２Ｄ，４２Ｆ，４２Ｈ、および列電極４３Ａ，４３Ｃ，４３Ｅ，４３Ｇに接続され、配線パターン１４，１５の長さが次に長いグループに属する受光素子１６０ａには、受光面積が中間のものを用い、列電極４３Ｂ，４３Ｄ，４３Ｆ，４３Ｈに接続され、配線パターン１４，１５の長さが比較的短いグループに属する受光素子１６０ｃには、受光面積の小さいものを用いる。
【００５３】
画像書込装置２０のマトリックス表示部３１は、図示しない駆動制御部により、受光素子１６０ａ，１６０ｂ，１６０ｃの受光面積に対応した面積の表示区分から受光素子１６０ａ，１６０ｂ，１６０ｃに光を照射するように駆動制御される。例えば、受光面積の大きい方の受光素子１６０ｂには、４×４個の画素３１ａからなる表示区分、受光面積が中間の受光素子１６０ａには、３×３個の画素３１ａからなる表示区分、受光面積の小さい方の受光素子１６０ｃには、２×２個の画素３１ａからなる表示区分から光を照射する。
【００５４】
この第４の実施の形態によれば、配線パターン１４，１５の長さが長く配線抵抗が大きいほど受光素子が受光する光量が多くなり、受光素子の抵抗値が小さくなるので、配線パターン１４，１５による配線抵抗にばらつきがあっても、表示部１１Ａの各画素への印加電圧のばらつきを少なくすることができ、表示むらを少なくすることができる。
【００５５】
なお、受光素子の受光面積は、受光素子毎に異なるようにしてもよい。これにより、表示むらをより一層少なくすることができる。また、受光素子の受光面積の形状は、上記正方形に限定されず、長方形、円形、楕円形、長円形等の他の形状でもよい。
【００５６】
［第５の実施の形態］
図１２は、本発明の第５の実施の形態に係る電子ペーパの接続図、および画像書込装置の平面図である。この第５の実施の形態に係る電子ペーパ１０は、第４の実施の形態における受光素子１６０ａ〜１６０ｃの受光面積と等しくなるように、サイズの等しい受光素子１６０ａ上に遮光面積の異なる枠形状のマスク１６１ａ，１６１ｂを設けたものであり、他は第４の実施の形態と同様に構成されている。なお、行電極４２Ａ，４２Ｃ，４２Ｅ，４２Ｇに接続され、配線パターン１４の長さが比較的長いグループに属する受光素子１６０ａ上にはマスクを設けていない。
【００５７】
この第５の実施の形態によれば、第４の実施の形態と同様に、配線抵抗にばらつきがあっても、表示部１１Ａの各画素への印加電圧のばらつきを少なくすることができ、表示むらを少なくすることができる。なお、マスクは、上記枠形状に限定されず、開口を有していない矩形状等の他の形状でもよい。また、マスクは、複数の受光素子に対応する位置に複数の開口を有するものでもよい。
【００５８】
［第６の実施の形態］
図１３は、本発明の第６の実施の形態に係る電子ペーパの接続図、および画像書込装置の平面図である。この第６の実施の形態に係る電子ペーパ１０は、第４の実施の形態における受光素子１６０ａ〜１６０ｃが受光する光量と等しくなるように、受光素子１６０ａ上に光透過率が異なるフィルタ１６２ａ，１６２ｂを設けたものであり、他は第４の実施の形態と同様に構成されている。なお、行電極４２Ａ，４２Ｃ，４２Ｅ，４２Ｇに接続され、配線パターン１４の長さが比較的長いグループに属する受光素子１６０ａ上には、フィルタを設けていない。この第６の実施の形態によれば、第５の実施の形態と同様に、表示むらを少なくすることができる。なお、受光素子１６０ａ毎に光透過率が異なるフィルタを設けてもよい。
【００５９】
［第７の実施の形態］
図１４（ａ）は、本発明の第７の実施の形態に係る電子ペーパの接続図、および画像書込装置の平面図、図１４（ｂ）は、（ａ）のＣ−Ｃ線断面図である。この第７の実施の形態は、第６の実施の形態において、電子ペーパ１０の受光素子１６０ａに設けたフィルタ１６２ａ，１６２ｂの代わりに、光透過率が異なるフィルタ３２ａ，３２ｂを画像書込装置２０のマトリックス表示部３１の表面に設けたものである。図１４（ａ）において、Ａで示す領域の受光素子１６０ａは、光透過率の低いフィルタ３２ａに対応し、Ｂで示す領域の受光素子１６０ａは、光透過率の高いフィルタ３２ｂに対応する。
【００６０】
この第７の実施の形態によれば、第６の実施の形態と同様に、表示むらを少なくすることができる。なお、一つの受光素子１６０ａに対応する表示区分毎に光透過率が異なるフィルタを設けてもよい。また、フィルタ３２ａ，３２ｂを設けずに、画素３１ａの光強度を制御してもよい。
【００６１】
［第８の実施の形態］
図１５は、本発明の第８の実施の形態に係る電子ペーパの接続図、および画像書込装置の平面図である。この第８の実施の形態に係る電子ペーパ１０は、第２の実施の形態において、光駆動の一部にスキャン駆動ＩＣを用いたものである。
【００６２】
この電子ペーパ１０は、行電極４２Ａ〜４２Ｈに接続された受光素子１６０ａの代わりに、行電極４２Ａ〜４２Ｈを走査するスキャン駆動ＩＣ１７ａ，１７ｂ，１７ｃを行電極４２Ａ〜４２Ｈに接続し、スキャン駆動ＩＣ１７ａ，１７ｂ，１７ｃにクロック等の制御信号および電源を供給する受電用電極１２０を付加したものである。
【００６３】
この第８の実施の形態の画像書込装置２０は、画像の書込み時に一対の受電用電極１２に接触する一対の給電用端子２８の他に、受電用電極１２０に接触する給電用端子２８０を備え、給電用端子２８０および受電用電極１２０を介してスキャン駆動ＩＣ１７ａ，１７ｂ，１７ｃに制御信号および電源を供給するように構成されている。
【００６４】
この第８の実施の形態によれば、スキャン駆動ＩＣ１７ａ〜１７ｃと行電極４２Ａ〜４２Ｈとの配線パターンの長さを等しくできるので、配線抵抗にばらつきはほとんどなくなり、表示むらのない画像を表示することができる。また、受光素子１６０ａの数を少なくすることができ、画像書込装置２０のマトリックス表示部３１の面積を小さくすることができる。なお、スキャン駆動ＩＣ１７ａ〜１７ｃを用いずに、列電極４３Ａ〜４３Ｈに画像データに応じた電圧を印加するデータ駆動ＩＣを用いてもよい。
【００６５】
［第９の実施の形態］
図１６は、本発明の第９の実施の形態に係る電子ペーパの接続図、および画像書込装置の平面図である。この第９の実施の形態に係る電子ペーパ１０は、第８の実施の形態において、スキャン駆動ＩＣ１７ａ，１７ｂ，１７ｃへの配線パターン１４上に受光素子１６３ａ，１６３ｂ，１６３ｃを設け、受電用電極１２０を省いたものであり、他は第８の実施の形態と同様に構成されている。
【００６６】
この第９の実施の形態の画像書込装置２０は、画像の書込み時に受光素子１６３ａ〜１６３ｃに光を照射してスキャン駆動ＩＣ１７ａ，１７ｂ，１７ｃに制御信号を供給し、一対の受電用電極１２の一方の受電用電極１２を介してスキャン駆動ＩＣ１７ａ，１７ｂ，１７ｃに電源を供給するように構成されている。
【００６７】
この第９の実施の形態によれば、第８の実施の形態と比較して受電用電極の数を減らすことができる。また、第２の実施の形態と比較して受光素子の数を減らすことができる。
なお、スキャン駆動ＩＣ１７ａ〜１７ｃを用いずに、列電極４３Ａ〜４３Ｈに画像データに応じた電圧を印加するデータ駆動ＩＣを用いてもよい。
【００６８】
［第１０の実施の形態］
図１７は、本発明の第１０の実施の形態に係る電子ペーパおよび画像書込装置の概略構成を示す図である。この第１０の実施の形態は、第２の実施の形態において、電子ペーパの表示部１１Ａの表示エリアを分割し、発光デバイス２００を移動させて各表示エリアに画像を書き込むようにしたものである。
【００６９】
電子ペーパ１０は、表示部１１Ａを複数の第１乃至第４の表示エリア１１０ａ〜１１０ｄから構成し、列電極にデータ用電圧を印加するための複数のデータ駆動ＩＣ１８ａ〜１８ｄを表示部１１Ａの下側に配列し、行電極に走査用電圧を印加するための複数の受光素子１６０ａを表示部１１Ａの右側に配列し、角部近傍にデータ駆動ＩＣ１８ａ〜１８ｄに電源、および画像信号、クロック等の制御信号を供給する受電用電極１２０ｃを配置し、その受電用電極１２０ｃの近傍に受光素子１６０ａに接続された受電用電極１２０ｂと行電極に接続された受電用電極１２０ａを配置したものである。
【００７０】
画像書込装置２０は、受光素子１６０ａに駆動信号光を照射するＬＥＤ等からなる複数の発光素子２００ａを有する発光デバイス２００と、発光デバイス２００を表示エリア１１０ａ〜１１０ｄ毎に縦方向（走査方向）に移動可能に支持する図示しない移動機構と、発光デバイス２００を縦方向に移動させる移動駆動部２０１と、発光デバイス２００に設けられた複数の発光素子２００ａを点灯させる点灯駆動部２０２と、受電用電極１２０ａ〜１２０ｃに接触可能な給電端子２０３ａ，２０３ｂ，２０３ｃを有する給電ヘッド２０４と、給電ヘッド２０４の給電端子２０３ａ〜２０３ｃを介して受電用電極１２０ａ〜１２０ｃに電圧を印加する電圧発生部２０５と、画像データが格納された画像メモリ２０６と、画像メモリ２０６に格納された画像データに基づいて移動駆動部２０１、点灯駆動部２０２および電圧発生部２０５を制御して表示部１１Ａへの画像の書込みを行う制御部２０７とを備える。
【００７１】
この第１０の実施の形態によれば、電子ペーパ１０の表示エリアを拡大することができる。また、発光デバイス２００を小型にすることができる。なお、上記構成では、列電極をデータ駆動ＩＣによって駆動し、行電極を受光素子１６０ａを介して駆動したが、列電極を受光素子を介して駆動し、行電極をスキャン駆動ＩＣによって駆動してもよい。
【００７２】
［第１１の実施の形態］
図１８は、本発明の第１１の実施の形態に係る電子ペーパを示し、（ａ）は表面図、（ｂ）は裏面図である。この第１１の実施の形態は、電子ペーパ１０の裏面に受光素子を配置し、画像書込装置は、その受光素子の位置に対応して発光部を有するものであり、他は第２の実施の形態と同様に構成されている。
【００７３】
この電子ペーパ１０は、図１８（ａ）に示すように、表面には、中央に表示部１１Ａを備え、角部に一対の受電用電極１２を備えたものである。また、この電子ペーパ１０は、図１８（ｂ）に示すように、裏面のほぼ中央に複数の受光素子１６０ａをマトリックス状に配列している。Ｃで示す領域の各受光素子１６０ａは、列電極に接続する配線パターン１４、および受電用電極１２に接続する配線パターン１５が放射状に形成され、Ｄで示す領域の受光素子１６０ａは、行電極に接続する配線パターン１４、および受電用電極１２に接続する配線パターン１５が放射状に形成されている。
【００７４】
この第１１の実施の形態によれば、電子ペーパ１０を狭額縁の構造とすることができ、表示エリアを拡大することができる。なお、受電用電極と各行電極との間の配線抵抗、および受電用電極と各列電極との間の配線抵抗が等しくなるように、配線パターンの経路を設計してもよい。これにより、各画素への印加電圧を等しくすることができ、表示むらを無くすことができる。
【００７５】
なお、配線パターン１４，１５の配線経路は、放射状に限らず、階段状等の他の経路でもよい。また、受光素子１６０ａは、表示部１１Ａの裏側の中央の位置に限らず、任意の位置に配置してよい。
【００７６】
［第１２の実施の形態］
図１９は、本発明の第１２の実施の形態に係る電子ペーパを示す。この第１２の実施の形態は、第１１の実施の形態において、電子ペーパ１０を多層基板から構成し、電子ペーパ１０の裏面であって表示部１１Ａから外れた位置に受光素子１６０ａを配置し、配線パターン１４，１５を複数の基板に分散したものであり、他は第１１の実施の形態と同様に構成されている。同図中、実線で示す配線パターン１４と一点鎖線で示す配線パターン１４は、それぞれ多層配線基板の異なる層に配線されている。また、受光素子１６０ａから表面に設けた受電用電極１２には、図示しない配線パターンが接続されている。この第１２の実施の形態によれば、受光素子１６０ａのレイアウトの自由度が高くなる。
【００７７】
［第１３の実施の形態］
図２０は、本発明の第１３の実施の形態に係る電子ペーパを示し、（ａ）は表面図、（ｂ）は（ａ）のＤ−Ｄ線断面図である。また、図２１（ａ）〜（ｃ）、および図２２（ａ）〜（ｃ）は、電子ペーパの層構成を示す断面図、図２２（ｄ）は、受光素子近傍の要部断面図である。
【００７８】
この電子ペーパ１０は、多層配線基板を用いて構成されており、図２０（ａ）に示すように、表示部１１Ａと、マトリックス状に配列された複数の受光素子１６０ａからなるマトリックス受光部１６と、一対の受電用電極１２とを備え、図２０（ｂ）に示すように、表面から、第１層基板１０１、第２層基板１０２、第３層基板１０３、第４層基板１０４、第５層基板１０５、第６層基板１０６からなる多層配線基板１００とを備える。
【００７９】
第１層基板１０１は、図２１（ａ）に示すように、絶縁基板上に複数の行電極１０１ａが形成され、第２層基板１０２は、図２１（ｂ）に示すように、メモリ性を有する液晶等かなる表示層１０２ａを有し、第３層基板１０３は、図２１（ｃ）に示すように、絶縁基板上に複数の列電極１０３ａが形成されており、複数の行電極１０１ａ、表示層１０２ａおよび複数の列電極１０３ａにより表示部１１Ａを構成している。
【００８０】
第４層基板１０４には、図２２（ａ）〜（ｃ）に示すように、絶縁基板に、受光素子１６０ａに接続されたビアホール１１３と、一端に第１層基板１０１の行電極１０１ａに接続された接続端１１２ａ，１１２ｂを有し、他端にビアホール１１３に接続された配線パターン１１１ａ，１１１ｂと、一端に第３層基板１０３の列電極１０３ａに接続された接続端１１２ｃを有し、他端にビアホール１１３に接続された配線パターン１１１ｃとが形成されている。配線パターン１１１ａは、奇数行の行電極１０１に接続され、配線パターン１１１ｂは、偶数行の行電極１０１に接続されている。
【００８１】
ビアホール１１３は、第４層基板１０４、第５層基板１０５および第６層基板１０６において重ならないように分散して配列されている。
【００８２】
受光素子１６０ａは、図２２（ｄ）に示すように、第４乃至第６層基板１０４，１０５，１０６に形成された配線パターン１１１ａ〜１１１ｃにビアホール１１３を介して接続されている。
【００８３】
この第１３の実施の形態によれば、電子ペーパの配線パターンを多層配線基板を用いて構成しているので、表示エリアを広くすることができる。
【００８４】
［第１４の実施の形態］
図２３は、本発明の第１４の実施の形態に係る電子ペーパの要部断面図である。この第１４の実施の形態に係る電子ペーパ１０は、第１３の実施の形態において、受光素子１６０ａを第３層基板１０３、第４層基板１０４、第５層基板１０５に設け、第３乃至第５層基板１０３〜１０５に形成された配線パターン１１１ａ〜１１１ｃ間をビアホール１１３によって接続したものである。各受光素子１６０ａには、画像書込装置２０のマトリックス表示部３１から駆動信号光が透明部材１１４を介して入射するように構成されている。この第１４の実施の形態によれば、受光素子１６０ａを高密度で実装することが可能となる。
【００８５】
［第１５の実施の形態］
図２４は、第１５の実施の形態に係る電子ペーパの要部断面図である。この第１５の実施の形態に係る電子ペーパ１０は、第１４の実施の形態において、受光素子１６０ａを第３層基板１０３、第４層基板１０４および第５層基板１０５に跨って設け、受光素子１６０ａに透明部材１１４を介して駆動信号光が入射するようにし、第１層基板１０１に受電用電極１２に接続され、トランジスタのように電気的信号によってスイッチング動作するスイッチング素子１１５を設け、スイッチング素子１１５と第４乃至第６層基板１０４〜１０６上の配線パターン１１１ａ〜１１１ｃとをビアホール１１３によって接続し、スイッチング素子１１５によって配線パターン１１１ａ〜１１１ｃを切り替えるようにしたものである。
【００８６】
この第１５の実施の形態によれば、受光素子１６０ａの数を減らすことが可能となる。なお、スイッチング素子１１５は、光導電体のように光によってスイッチング動作するものを用いてもよい。
【００８７】
［第１６の実施の形態］
図２５は、第１６の実施の形態に係る電子ペーパの要部断面図である。この第１６の実施の形態に係る電子ペーパ１０は、第１５の実施の形態において、受光素子１６０ａの代わりに赤色光で動作する受光素子１６０Ｒと、緑色光で動作する受光素子１６０Ｇと、青色光で動作する受光素子１６０Ｂを用い、画像書込装置２０の表示部を、赤色光を発光する赤色ＬＥＤ、緑色光を発光する緑色ＬＥＤ、青色光を発光する青色ＬＥＤから構成したものである。
【００８８】
この第１６の実施の形態によれば、受光素子は特定の波長にのみ反応するので、画像書込装置の表示部と受光素子との相対的位置精度が悪くても、正確な動作を行うことができる。なお、受光素子にフィルタを設けてもよい。また、小、中、大と受光面積の異なる受光素子を入射側から順に配置し、受光素子に直接駆動信号光が入射するようにしてもよい。また、各受光素子１６０Ｒ，１６０Ｇ，１６０Ｂを、図２３に示すように水平方向にずらして配置してもよい。
【００８９】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００９０】
上記実施の形態において、駆動部としての受光素子アレイは、光で動作する構成に限定されるものではなく、駆動信号として受けた熱によって動作するサーミスタ等の感熱素子、磁界によって動作する磁気抵抗素子，ホール素子，磁気トランジスタ等の感磁性素子、圧力によって動作する感圧ダイオード，感圧トランジスタ等の感圧素子等であってもよい。
【００９１】
また、画像書込装置の駆動信号発生素子として、ＬＥＤアレイ等の光学素子を例示したが、画像表示媒体の能動素子に応じて熱を発生するヒータ等の発熱体、磁界を発生する薄膜磁気トランスデューサ、圧力を発生する圧電変換素子等を用いてもよい。
【００９２】
また、画像書込装置２０は、折り畳み型としたが、このタイプに限定されるものではなく、上部本体または下部本体のみによる構成であってもよい。
【００９３】
また、上記表示部は、全面電極と、この全面電極との間に複数の画素を配置した複数の画素とを備え、アクティブマトリックス駆動によって全面電極および複数の画素間に選択的に電圧を印加するようにしてもよい。
【００９４】
また、メモリ性を有する表示部として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示部を用いてもよい。
【図面の簡単な説明】
【００９５】
【図１】本発明の第１の実施の形態に係る電子ペーパおよび画像書込装置を示し、（ａ）は全体構成を示す斜視図、（ｂ）は（ａ）のＡ−Ａ線断面を示す断面図である。
【図２】図１の画像書込装置を開いた状態を示す斜視図である。
【図３】図１の電子ペーパの全体構成を示す平面図である。
【図４】図３の電子ペーパのＢ−Ｂ線断面を示し、（ａ）は電子ペーパの表示部の層構成を示す断面図、（ｂ）は他の層構成を示す断面図である。
【図５】本発明の第１の実施の形態に係る画像書込装置の制御部の構成を示すブロック図である。
【図６】本発明の第１の実施の形態に係る電子ペーパと画像書込装置の内部配線を示す接続図である。
【図７】本発明の第２の実施の形態に係る電子ペーパおよび画像書込装置を示す接続図である。
【図８】第２の実施の形態の電子ペーパおよび画像書込装置の動作を示す説明図である。
【図９】本発明の第３の実施の形態に係る電子ペーパおよび画像書込装置を示し、（ａ）は断面図、（ｂ）は（ａ）の画像書込装置を開いた状態を示す斜視図である。
【図１０】図９の電子ペーパの平面図である。
【図１１】本発明の第４の実施の形態に係る電子ペーパの接続図、および画像書込装置の平面図である。
【図１２】本発明の第５の実施の形態に係る電子ペーパの接続図、および画像書込装置の平面図である。
【図１３】本発明の第６の実施の形態に係る電子ペーパの接続図、および画像書込装置の平面図である。
【図１４】（ａ）は、本発明の第７の実施の形態に係る電子ペーパの接続図、および画像書込装置の平面図、図１４（ｂ）は、（ａ）のＣ−Ｃ線断面図である。
【図１５】本発明の第８の実施の形態に係る電子ペーパの接続図、および画像書込装置の平面図である。
【図１６】本発明の第９の実施の形態に係る電子ペーパの接続図、および画像書込装置の平面図である。
【図１７】本発明の第１０の実施の形態に係る電子ペーパおよび画像書込装置の概略構成を示す図である。
【図１８】本発明の第１１の実施の形態に係る電子ペーパを示し、（ａ）は表面図、（ｂ）は裏面図である。
【図１９】本発明の第１２の実施の形態に係る電子ペーパを示し裏面図である。
【図２０】本発明の第１３の実施の形態に係る電子ペーパを示し、（ａ）は表面図、（ｂ）は（ａ）のＤ−Ｄ線断面図である。
【図２１】（ａ）〜（ｃ）は、図２０に示す電子ペーパの層構成を示す断面図である。
【図２２】（ａ）〜（ｃ）は、図２０に示す電子ペーパの層構成を示す断面図、（ｄ）は受光素子近傍の要部断面図である。
【図２３】本発明の第１４の実施の形態に係る電子ペーパの要部断面図である。
【図２４】本発明の第１５の実施の形態に係る電子ペーパの要部断面図である。
【図２５】本発明の第１６の実施の形態に係る電子ペーパの要部断面図である。
【符号の説明】
【００９６】
１０  電子ペーパ
１１，１１Ａ，１１Ｂ  表示部
１２  受電用電極
１３  受光素子アレイ
１３ａ，１３Ａ，１３Ｂ  受光素子
１４，１５  配線パターン
１６  マトリックス受光部
１６ａ  受光素子
１６Ａ，１６Ｂ  受光素子
２０  画像書込装置
２１Ａ  上部本体
２１Ｂ  下部本体
２１Ｃ  ヒンジ
２２  液晶表示器
２３  電源ボタン
２４  ＵＰキー
２５  ＤＯＷＮキー
２６  プリントキー
２８  給電用端子
２９  ＬＥＤアレイ
２９ａ  ＬＥＤ
３０  ＥＮＴＥＲキー
３１  マトリックス表示部
３１ａ  画素
３１Ａ，３１Ｂ  表示区分
４０Ａ，４０Ｂ  画像表示媒体
４１Ａ，４１Ｂ  基板
４２，４２Ａ〜４２Ｈ  行電極
４３，４３Ａ〜４３Ｈ  列電極
４４  液晶層
４５  光吸収層
４６  空間部
４７Ａ，４７Ｂ  誘電体層
４８Ａ  白色粒子
４８Ｂ  黒色粒子
５１  照明光
５２  表示光
６０  制御部
６１  ＣＰＵ
６２  ＲＯＭ
６３  ＲＡＭ
６４  画像データ記憶部
６５  無線部
６６  アンテナ
６７  駆動部
６８  電圧発生部
６９  バッテリー
１６０ａ，１６０ｂ，１６０ｃ  受光素子
１６１ａ，１６１ｂ  マスク
１６２ａ，１６２ｂ  フィルタ
３２ａ，３２ｂ  フィルタ
１７ａ，１７ｂ，１７ｃ  スキャン駆動ＩＣ
１２０  受電用電極
２８０  給電用端子
１６３ａ，１６３ｂ，１６３ｃ  受光素子
２００  発光デバイス
１１０ａ〜１１０ｄ  第１乃至第４の表示エリア
１８ａ〜１８ｄ  データ駆動ＩＣ
１２０ａ〜１２０ｃ  受電用電極
２００ａ  発光素子
２０１  移動駆動部
２０２  点灯駆動部
２０４  給電ヘッド
２０３ａ〜２０３ｃ  給電端子
２０５  電圧発生部
２０６  画像メモリ
２０７  制御部
１０１  第１層基板
１０２  第２層基板
１０３  第３層基板
１０４  第４層基板
１０５  第５層基板
１０６  第６層基板
１００  多層配線基板
１０１ａ  行電極
１０２ａ  表示層
１０３ａ  列電極
１１３  ビアホール
１１２ａ〜１１２ｃ  接続端
１１４  透明部材
１１５  スイッチング素子
１６０Ｒ，１６０Ｇ，１６０Ｂ  受光素子
【図１】
2005352461.tif 000003
【図２】
2005352461.tif 000004
【図３】
2005352461.tif 000005
【図４】
2005352461.tif 000006
【図５】
2005352461.tif 000007
【図６】
2005352461.tif 000008
【図７】
2005352461.tif 000009
【図８】
2005352461.tif 000010
【図９】
2005352461.tif 000011
【図１０】
2005352461.tif 000012
【図１１】
2005352461.tif 000013
【図１２】
2005352461.tif 000014
【図１３】
2005352461.tif 000015
【図１４】
2005352461.tif 000016
【図１５】
2005352461.tif 000017
【図１６】
2005352461.tif 000018
【図１７】
2005352461.tif 000019
【図１８】
2005352461.tif 000020
【図１９】
2005352461.tif 000021
【図２０】
2005352461.tif 000022
【図２１】
2005352461.tif 000023
【図２２】
2005352461.tif 000024
【図２３】
2005352461.tif 000025
【図２４】
2005352461.tif 000026
【図２５】
2005352461.tif 000027